(57)【要約】【課題】少量の溶媒の使用により、被処理体に貼付されている多種多様なラベルを一度に大量に短時間に剥離処理可能な被処理体におけるラベルの剥離を行う方法、及びその装置を提供する。【解決手段】ｄ−リモネンを主成分とする溶媒を有する吸着材４を、ラベル２が貼付されている被処理体１に動的に接触させ、吸着材４の溶媒が被処理体１のラベル２に浸透することにより、被処理体１とラベル２との接着剤の接着機能を消失させて、ラベル２を被処理体１の表面から剥離するようにした。【選択図】図１
2010097123.tif 000002
【特許請求の範囲】
【請求項１】
ｄ−リモネンを主成分とする溶媒を有する吸着材を、ラベルが貼付されている被処理体に動的に接触させ、前記吸着材の溶媒が前記被処理体のラベルに浸透することにより、被処理体とラベルとの接着剤の接着機能を消失させて、前記ラベルを被処理体の表面から剥離するようにしたことを特徴とする被処理体におけるラベルの剥離方法。
【請求項２】
ｄ−リモネンを主成分とする溶媒を有する吸着材と、回転又は振動する処理容器とを有し、前記処理容器に、前記吸着材とラベルが貼付されている被処理体を収納して揺動し、前記吸着材の溶媒をラベルの接着剤に浸透させて接着機能を消失させることにより、ラベルを被処理体から剥離させることを特徴とする被処理体におけるラベルの剥離装置。
【発明の詳細な説明】
【技術分野】
【０００１】
本発明は、例えば、複数のプラスチック容器等に貼付されているラベルをまとめて同時に剥離し得るラベルの剥離方法及びその装置に関するものである。
【背景技術】
【０００２】
例えば、特開２００８−６８４７７号公報に記載のラベルの剥離方法は、粘着剤層を介してラベルが貼付された被着体を、ｄ−リモネンを主成分とする溶媒中に浸漬し、粘着剤層に溶媒を浸透させて膨潤することにより、粘着力が消失して、ラベルを剥離するようにした構成である。
【０００３】
また、同公報に記載のラベルの剥離装置は、内側通水性容器の底部に開閉可能な底部通水蓋を設け、外側通水性容器の底部には通水床を設け、溶媒の比重に比べて小さくなるように調整した被着体を、底部通水蓋を開放した状態の内側通水性容器に収納し、ｄ−リモネンを主成分とする溶媒を注入した浸漬釜に、被着体を収納した二重通水性容器を挿入して、被着体を二重通水性容器内で溶媒中に浮遊させ、粘着剤層に溶媒が浸透して膨潤することにより、粘着力を消失させてラベルを剥離し、溶媒との比重差により沈降したラベルを、外側通水性容器の通水床で受け止め、内側通水性容器の底部通水蓋を閉止したのち、二重通水性容器を浸漬釜から引き上げて、被着体及びラベルを回収するようにした構成である。
【特許文献１】２００８−６８４７７公報
【発明の開示】
【発明が解決しようとする課題】
【０００４】
しかし、特許文献１に記載のラベルの剥離方法、およびラベルの剥離装置では、浸漬釜にｄ−リモネンを主成分とする溶媒を十分に注入して、浸漬釜に、被着体を収納した二重通水性容器を挿入して、二重通水性容器内で溶媒中に浮遊させるため、多量の溶媒が必要となる。また、時間の経過と共に、溶媒中に浮遊させた被着体の粘着剤層に溶媒が浸透して膨潤し、粘着力を消失させてラベルを剥離するようにしているので、溶媒中に浮遊させた被着体の粘着剤層に溶媒が浸透して膨潤するまでにかなりの時間を要するため改善が望まれていた。
【０００５】
本発明は、少量の溶媒の使用により、被処理体に貼付されている多種多様なラベルを一度に大量に短時間に剥離処理可能な被処理体におけるラベルの剥離方法及びその装置を提供することを目的とする。
【課題を解決するための手段】
【０００６】
請求項１に係る発明は、ｄ−リモネンを主成分とする溶媒を有する吸着材を、ラベルが貼付されている被処理体に動的に接触させ、前記吸着材の溶媒が前記被処理体のラベルに浸透することにより、被処理体とラベルとの接着剤の接着機能を消失させて、前記ラベルを被処理体の表面から剥離するようにしたことを特徴とする被処理体におけるラベルの剥離方法である。
【０００７】
また、請求項２に係る発明は、ｄ−リモネンを主成分とする溶媒を有する吸着材と、回転又は振動する処理容器とを有し、前記処理容器に、前記吸着材とラベルが貼付されている被処理体を収納して揺動し、前記吸着材の溶媒をラベルの接着剤に浸透させて接着機能を消失させることにより、ラベルを被処理体から剥離させることを特徴とする被処理体におけるラベルの剥離装置である。
【発明の効果】
【０００８】
本発明は、吸着材の溶媒を、ラベルが貼付された被処理体に動的に接触させて、被処理体におけるラベルの剥離を行うことができる。
【０００９】
剥離されて処理容器内に残ったラベルと、ラベルが剥離された被処理体の本体は、リサイクルのために次の工程、例えば破砕工程に進めることができる。この被処理体の本体は、紙ラベルやプラスチックフィルムラベルが、完全に除去されているため、環境保全に役立つと認められた商品向け原料に、全量向けることができる。
【発明を実施するための最良の形態】
【００１０】
以下、本発明の実施例を図面を参照して説明する。
【実施例１】
【００１１】
図１は、ラベルの剥離装置の実施例１を示す側面図、図２は、吸着材を例示するスポンジ状部材、不織布、用具の斜視図である。また、図３は、図２に示した用具の一部欠截断面図、図４は、ラベルを貼付させた被処理体を例示する斜視図である。以下の説明において、被処理体の例として使用済みの点滴ボトルを採用した。
【００１２】
点滴ボトル１は、樹脂製でラベル２が、接着剤層３を介して貼付してある。ラベル２は、紙製のシート、或いはプラスチックフィルムであって、薬品名、成分、効能、使用法、注意事項、点滴患者の氏名、点滴実施者名等、必要な情報が記載されている。使用済みの点滴ボトル１は、純度が高く回収して再利用するため、及び看護婦などが使用済みになったら切断することがあるので、被処理体としては、点滴ボトル単体の他に、点滴ボトルの切断材、或いは、ボトルを微細に粉砕する粉砕機から出る微細（例えば１ｍｍ程度）な破砕粒も含むものである。
【００１３】
また、ラベル２を被処理体に貼付するための接着剤は、例えば、アクリル系、ビニル系化合物等、を使用することができる。
【００１４】
一方、溶媒Ｓには、ｄ−リモネンを主成分とする溶媒、所謂オレンジオイルを用いる。このオレンジオイルは、柑橘類の果皮に含まれる天然成分であるため、人体に対して安全性がきわめて高いし、独特の芳香によって、作業時の環境を良好にすることができる。
【００１５】
従って、ｄ−リモネンを主成分とするオレンジオイルは、種々のラベル２に対して有効であり、溶媒Ｓとして適したものである。
【００１６】
図１は、ラベルの剥離装置１０の側面図である。図１において、ラベルの剥離装置１０は、上部に開口１１ａ及び蓋１１ｂを有するつぼ形の処理容器１１と、この処理容器１１の支持台１２とにより構成されている。蓋１１ｂは、柔軟なシート材を開口１１ａに紐で取付けて代用することができる。
【００１７】
前記処理容器１１は、下部近傍の外周にフランジ１３が設けられ、このフランジ１３の下面にギア１４が形成され、また、底部中心に位置して図示しない軸部が外部に突出して設けられている。
【００１８】
前記支持台１２は、矩形枠状の底部１５ａの対向する側辺に２本の支柱の上部を連結材１５ｂで接合した１対のコ字形枠１５，１５が立設されている。また、底部１５ａは、下部の前後左右に４つの車輪２１が取付けられていて、筆跡消失装置１０を移動できるようになっている。
【００１９】
前記連結材１５ｂは、中央に後述する円弧状の支持部材１６の両端を取付けるための係合部１５ｃが設けられている。支持部材１６は、処理容器１１の底面に沿うように取付けられ、中央部に設けられた軸受け部に処理容器１１の軸部が装着されて、処理容器１１を回転可能に支持している。また、一方の係合部１５ｃは、従動プーリ１８とともに従動プーリ１８の軸１８ｂに固定された軸部歯車１８ａが回転可能に取付けられている。
【００２０】
前記底部１５ａには、モータＭ及び中間プーリ１７が離間して設けられている。中間プーリ１７は、モータＭの駆動軸に装着されたモータプーリ１９とベルト２０ａで連結されている。また、中間プーリ１７に同軸に固定されている軸部プーリ１７ａは、従動プーリ１８とベルト２０ｂで連結されている。従動プーリ１８は、その軸１８ｂに固定された軸部歯車１８ａが処理容器１１のフランジ１３の下面に設けられたギア１４に噛合わされているので、従動プーリ１８が回転すると、処理容器１１が低速で回転駆動される。
【００２１】
次に、ラベルの剥離装置１０の動作について説明する。溶媒Ｓを有する多数の吸着材４，４，・・を処理容器１１内に収納しておく。そして、接着剤層３を介してラベル２が貼付された多数の被処理体１を処理容器１１に供給して上部の蓋１１ｂを閉じて開口１１ａを閉塞する。
【００２２】
吸着材４は、ｄ−リモネン溶媒を含ませたり、付着させたりして使用するので、ｄ−リモネン溶媒に溶けない素材のスポンジ状部材４ａ、或いは不織布４ｂを使用する。また、吸着材４は、ｄ−リモネンを極少量だけ浸み出させる用具４ｃを使用してもよい。
【００２３】
用具４ｃの例としては、一端に開口５０ａを有する有底な筒状の容器５０の壁部５１に細孔５２を複数設け、ｄ−リモネン溶媒に溶けない素材からなる複数の浸み出し部材５３を埋設し、容器５０内にｄ−リモネン溶媒を充填し、蓋材５４にて開口５０ａを閉塞してなる。
【００２４】
処理容器１１は、図１に示すような所定立体角度となるように設置され、モータＭを駆動することによりモータプーリ１９が回転する。モータプーリ１９は、回転するとベルト２０ａを駆動して中間プーリ１７及び中間プーリ１７に同軸に固定されている軸部プーリ１７ａを回転させる。また、軸部プーリ１７ａは、回転するとベルト２０ｂを駆動して従動プーリ１８及び従動プーリ１８に同軸に固定されている軸部歯車１８ａを回転させる。軸部歯車１８ａは、回転すると軸部歯車１８ａと噛合っているフランジ１３の下面に設けられたギア１４を駆動して、処理容器１１を周方向に回転させる。
【００２５】
処理容器１１の回転により、溶媒Ｓを有する多数の吸着材４，４，・・は、ラベル２が貼付された多数の被処理体１と混ぜ合わされて動的に接触する。これにより、処理容器１１において、回転中に吸着材４が被処理体１の表面を擦るので、吸着材４に含浸された溶媒Ｓが被処理体１の接着剤層３に短時間で浸透して膨潤させることにより接着力を消失させる。
【００２６】
その後、被処理体１に貼付されているラベル２が剥離したら、溶媒Ｓを除去したラベル２及びラベル２が剥離した被処理体１を回収する。
【実施例２】
【００２７】
図５は、ラベルの剥離装置の実施例２を示す斜視図である。ラベルの剥離装置３０は、軸体３１の両端を所定高さに固定して水平に保持する支持台３２と処理容器３３と、駆動用のモータ３４とにより構成されている。そして、処理容器３３は、前板３３ａ、後板３３ｂ、側板３３ｃ，３３ｄを有する四角い箱形である。この処理容器３３は、前板３３ａが軸体３１に並行配置されるとともに、前板３３ａの両端近傍が軸体３１に回転可能に固定されている。処理容器３３は、片方の側板３３ｃの外部に回転プーリー３５が取り付けられていて、その軸３５ａは、側板３３ｃの外面に垂直に突出して設けられている。
【００２８】
また、モータ３４の回転軸には、回転プーリー３５と当接して上下動させるカム３６が固定されている。カム３６は、半径の長さが最小から最大に長くなる同形部分が等角度間隔で複数形成され、モータ３４の回転により回転プーリー３５との当接部（上部）における半径の長さが最小から最大になる状態を繰り返す。
【００２９】
以上の構成において、ラベルの剥離装置３０は、モータ３４を駆動すると、カム３６が回転して回転プーリー３５との当接部における半径の長さが最小から最大になる状態を繰り返し、回転プーリー３５を上下動させる。これにより、処理容器３３は、前板３３ａ側を支点として後板３３ｂ側が上下動して、溶媒Ｓを有する多数の吸着材４及びラベル２が貼付された被処理体１を振動させる。ラベルの剥離装置３０は、処理容器３３が振動することにより、吸着材４，４，・・が被処理体１と混ぜ合わせされて動的に接触し、吸着材４に含浸された溶媒Ｓが被処理体１の接着剤層３に短時間で浸透して膨潤させることにより接着力を消失させる。
【実施例３】
【００３０】
図６は、ラベルの剥離装置の実施例３を示す斜視図である。ラベルの剥離装置４０は、クランク機構４１と、処理容器４２と、駆動用のモータ４３とにより構成されている。
【００３１】
クランク機構４１は、モータ４３により回転し、上部に突起４４ｂが設けられている円盤カム４４ａと、突起４４ｂが遊嵌される長孔４４ｃが一端近傍に設けられたクランク軸４４ｄと、一端近傍がクランク軸４４ｄの他端と回動可能に接続された連結ロッド４４ｅとから構成されている。
【００３２】
処理容器４２は、前板４２ａ、後板４２ｂ、側板４２ｃ，４２ｄを有する四角い箱形であり、前板４２ａの中央部に連結ロッド４４ｅの他端が回動可能に接続されて、連結ロッド４４ｅを前方に突出して固定されている。処理容器４２の下部には複数のローラ４５，４５・・・が、前板４２ａ及び後板４２ｂと平行に配置され、また、処理容器４２の側板４２ｃ，４２ｄに沿う外側には、ガイドレール４６，４６が設けられている。
【００３３】
以上の構成において、ラベルの剥離装置４０は、モータ４３を駆動すると、円盤カム４４ａの上部に設けられている突起４４ｂが円運動する。クランク軸４４ｄは、突起４４ｂが遊嵌されている長孔４４ｃが突起４４ｂとともに円運動することで、連結ロッド４４ｅが長手方向に引かれ、又は、押されることが繰り返される。
【００３４】
これにより、処理容器３３は、前後移動を繰り返して、溶媒Ｓを有する多数の吸着材４及びラベル２が貼付された被処理体１を振動させる。ラベルの剥離装置４０は、処理容器４２が振動することにより、吸着材４，４，・・が被処理体１と混ぜ合わせされて動的に接触し、吸着材４に含浸された溶媒Ｓが被処理体１の接着剤層３に短時間で浸透して膨潤させることにより接着力を消失させる。
【００３５】
なお、実施例の説明において、被処理体として使用済みの点滴ボトルを例にとって、説明したが、他にも、一度に大量に短時間にラベルの剥離処理ができるものとしては、形状や材質が異なった様々な被処理体として、ガラス瓶、カンやペットボトルのラベル剥がしに利用できる。
【図面の簡単な説明】
【００３６】
【図１】ラベルの剥離装置の実施例１の一部を欠截した側面図である。
【図２】は吸着材を例示するスポンジ状部材、不織布、用具の斜視図である。
【図３】は、図２に示した用具の一部欠截断面図である。
【図４】ラベルを接着させた被処理体を例示する斜視図である。
【図５】ラベルの剥離装置の実施例２の斜視図である。
【図６】ラベルの剥離装置の実施例３の斜視図である。
【符号の説明】
【００３７】
１  点滴ボトル
２  ラベル
３  接着剤層
４  吸着材
４ａ  スポンジ状部材
４ｂ  不織布
４ｃ  用具
１０，３０，４０  ラベルの剥離装置
１１，３３，４２  処理容器
１１ａ  開口
１１ｂ  蓋
１２  支持台
１３  フランジ
１４  ギア
１５  コ字形枠
１５ａ  底部
１５ｂ  連結材
１５ｃ  係合部
１６  支持部材
１７  中間プーリ
１７ａ  軸部プーリ
１８  従動プーリ
１８ａ  軸部歯車
１８ｂ  従動プーリの軸
１９  モータプーリ
２０ａ，２０ｂ  ベルト
２１  車輪
３１  軸体
３２  支持台
３３ａ，４２ａ  前板
３３ｂ，４２ｂ  後板
３３ｃ  ３３ｄ，４２ｃ，４２ｄ側板
３４，４３，Ｍ  モータ
３５  回転プーリー
３６  カム
４１  クランク機構
４４ａ  円盤カム
４４ｂ  突起
４４ｃ  長孔
４４ｄ  クランク軸
４４ｅ  連結ロッド
４５  ローラ
４６  ガイドレール
５１  ボトル
５１ｂ  開口部
５２  中蓋
５２ａ  中軸穴
５３  浸み出し部材
５４  キャップ
【図１】
2010097123.tif 000003
【図２】
2010097123.tif 000004
【図３】
2010097123.tif 000005
【図４】
2010097123.tif 000006
【図５】
2010097123.tif 000007
【図６】
2010097123.tif 000008